(57)【要約】【課題】本発明は、ユーザの操作性を向上させることができる送信装置及び無線通信システムを提供することを目的とする。【解決手段】送信対象のデータを受信装置に送信しないと決定した場合には、表示部の表示状態を変化させる表示制御部を備える。【選択図】図２
2008186354.tif 000002
【特許請求の範囲】
【請求項１】
送信装置として著作権保護機能対応送信装置を使用し、かつ受信装置として著作権保護機能対応受信装置又は著作権保護機能非対応受信装置のいずれかを使用し、前記受信装置に無線接続される前記送信装置において、
送信対象のデータが著作権保護対象データ又は著作権保護非対象データのいずれであるかを判定するデータ判定部と、
前記受信装置が前記著作権保護機能対応受信装置又は前記著作権保護機能非対応受信装置のいずれであるかを判定する受信装置判定部と、
前記データ判定部及び前記受信装置判定部の各判定結果に基づいて、前記送信対象のデータを前記受信装置に送信するか否かを決定する決定部と、
前記送信対象のデータを前記受信装置に送信しないと決定した場合には、表示部の表示状態を変化させる表示制御部と
を備えることを特徴とする送信装置。
【請求項２】
前記決定部は、
前記送信対象のデータが前記著作権保護対象データであって、かつ前記受信装置が前記著作権保護機能対応受信装置であると判定された場合、又は前記送信対象のデータが前記著作権保護非対象データであると判定された場合には、前記送信対象のデータを前記受信装置に送信すると決定し、
前記送信対象のデータが前記著作権保護対象データであって、かつ前記受信装置が前記著作権保護機能非対応受信装置であると判定された場合には、前記送信対象のデータを前記受信装置に送信しないと決定する
ことを特徴とする請求項１に記載の送信装置。
【請求項３】
前記送信対象のデータを前記受信装置に送信しないと決定された場合、前記受信装置との間で確立されている接続を維持する接続維持部
をさらに備えることを特徴とする請求項１に記載の送信装置。
【請求項４】
前記データ判定部は、
前記送信対象のデータが前記著作権保護対象データであると判定した場合には、前記著作権保護対象データが必要とする著作権保護処理の処理種別を判定し、
前記受信装置判定部は、
前記受信装置が前記著作権保護機能対応受信装置であると判定した場合には、前記著作権保護機能対応受信装置において実行される著作権保護処理の処理種別を判定し、
前記決定部は、
前記著作権保護対象データが必要とする著作権保護処理の処理種別と、前記著作権保護機能対応受信装置において実行される著作権保護処理の処理種別とが一致しないと判定した場合には、前記送信対象のデータを前記受信装置に送信しないと決定し、
前記表示制御部は、
前記著作権保護対象データが必要とする著作権保護処理の処理種別に応じて、表示部の表示状態を変化させる
ことを特徴とする請求項１に記載の送信装置。
【請求項５】
送信装置として著作権保護機能対応送信装置を使用し、かつ受信装置として著作権保護機能対応受信装置又は著作権保護機能非対応受信装置のいずれかを使用し、前記送信装置及び前記受信装置が無線接続される無線通信システムにおいて、
前記送信装置は、
送信対象のデータが著作権保護対象データ又は著作権保護非対象データのいずれであるかを判定するデータ判定部と、
前記受信装置が前記著作権保護機能対応受信装置又は前記著作権保護機能非対応受信装置のいずれであるかを判定する受信装置判定部と、
前記データ判定部及び前記受信装置判定部の各判定結果に基づいて、前記送信対象のデータを前記受信装置に送信するか否かを決定する決定部と、
前記送信対象のデータを前記受信装置に送信しないと決定した場合には、表示部の表示状態を変化させる表示制御部と
を備えることを特徴とする無線通信システム。
【発明の詳細な説明】
【技術分野】
【０００１】
本発明は、送信装置及び無線通信システムに関する。
【背景技術】
【０００２】
近年、Ｂｌｕｅｔｏｏｔｈ（登録商標）と呼ばれる近距離無線通信方式が開発され、この通信方式を利用すれば、ワイヤレスでオーディオデータを転送し出力することができる。かかる近距離無線通信システムの一例としては、携帯電話から送信されるオーディオデータをヘッドセットで受信及び出力することにより、ユーザが聴取するものがある。
【０００３】
この携帯電話から送信されるオーディオデータには、著作権の保護を必要とするオーディオデータ（以下、これを著作権保護対象データ）と、著作権の保護を必要としないオーディオデータ（以下、これを著作権保護非対象データ）とがある。
【０００４】
また、近距離無線通信システムを構成する機器には、オーディオデータの著作権を保護するための処理を行う機器（以下、これを著作権保護機能対応機器と呼ぶ）と、オーディオデータの著作権を保護するための処理を行わない機器（以下、これを著作権保護機能非対応機器と呼ぶ）とがある。
【０００５】
ここでは、携帯電話には著作権保護機能対応機器を使用することを前提とし、ヘッドセットには、著作権保護機能対応機器だけでなく、著作権保護機能非対応機器も使用する場合があると仮定する。
【０００６】
以下、著作権保護対象データの送受信に関する文献名を記載する。
【特許文献１】特開２００６−５７２６号公報
【発明の開示】
【発明が解決しようとする課題】
【０００７】
ところでかかる近距離無線通信システムにおいては、例えば、ヘッドセットとして著作権保護機能非対応機器を使用し、かつ著作権保護機能対応機器である携帯電話から著作権保護対象データを当該ヘッドセットに送信する場合には、ヘッドセットが著作権保護機能非対応機器であるために、著作権保護対象データをヘッドセットに送信することができず、従ってヘッドセットから音楽が出力されない。
【０００８】
一般に、ユーザは、使用しているヘッドセットが著作権保護機能対応機器又は著作権保護機能非対応機器のいずれであるかを判断することが難しい。従って、この場合、ユーザは、ヘッドセットから音楽が出力されない理由として、ヘッドセットが著作権保護機能非対応機器によるものなのか、又は故障によるものなのかを判断することができず、使い勝手が悪いという問題があった。
【０００９】
本発明は以上の問題点を解決するためになされたもので、ユーザの操作性を向上させることができる送信装置及び無線通信システムを提供することを目的とする。
【課題を解決するための手段】
【００１０】
本発明の一態様による送信装置は、
送信装置として著作権保護機能対応送信装置を使用し、かつ受信装置として著作権保護機能対応受信装置又は著作権保護機能非対応受信装置のいずれかを使用し、前記受信装置に無線接続される前記送信装置において、
送信対象のデータが著作権保護対象データ又は著作権保護非対象データのいずれであるかを判定するデータ判定部と、
前記受信装置が前記著作権保護機能対応受信装置又は前記著作権保護機能非対応受信装置のいずれであるかを判定する受信装置判定部と、
前記データ判定部及び前記受信装置判定部の各判定結果に基づいて、前記送信対象のデータを前記受信装置に送信するか否かを決定する決定部と、
前記送信対象のデータを前記受信装置に送信しないと決定した場合には、表示部の表示状態を変化させる表示制御部と
を備える。
【発明の効果】
【００１１】
本発明の送信装置によれば、ユーザの操作性を向上させることができる。
【発明を実施するための最良の形態】
【００１２】
以下、本発明の実施の形態について図面を参照して説明する。
【００１３】
なお、本発明が適用される近距離無線通信システムは、ソースとしての携帯電話と、シンクとしてのヘッドセットとをＢｌｕｅｔｏｏｔｈ（登録商標）などの無線通信を用いて無線接続することにより形成される。なお、ソースとしては、携帯電話に限らず、ＰＣなど他の種々の機器を使用することができる。また同様に、シンクとしては、ヘッドセットに限らず、スピーカなど他の種々の機器を使用することができる。
【００１４】
かかる近距離無線通信システムは、携帯電話から送信されるオーディオデータをヘッドセットで受信及び出力することにより、ユーザは、ヘッドセットから出力される音楽を聴取する。
【００１５】
ところで、この携帯電話から送信されるオーディオデータには、著作権保護対象データと著作権保護非対象データとがある。また、近距離無線通信システムを構成する機器には、著作権保護機能対応機器と著作権保護機能非対応機器とがある。
【００１６】
この近距離無線通信システムでは、携帯電話には著作権保護機能対応機器を使用することを前提とし、ヘッドセットには、著作権保護機能対応機器だけでなく、著作権保護機能非対応機器をも使用する場合があるものとする。
【００１７】
ここで図１に、携帯電話２０の具体的な構成を示す。この携帯電話２０の場合、通話時には、マイク４０から入力された音声信号は、信号処理回路５０及び無線部６０を順次介して無線信号に変換された後、アンテナ７０から送信される。一方、アンテナ７０によって受信された無線信号は、無線部６０及び信号処理回路５０を順次介して音声信号に変換され、スピーカ８０から外部に出力される。
【００１８】
ところで、ユーザは、携帯電話２０の記憶部９０に記憶されているオーディオデータをヘッドセットから聴取するため、ヘッドセットを頭部に装着し、入力部１００を操作すると、制御部１１０は、近距離無線部１２０及び記憶部９０の動作を制御することにより、記憶部９０からオーディオデータを読み出し、これをヘッドセットに送信することを試みる。
【００１９】
具体的には、近距離無線部１２０は、例えばＢｌｕｅｔｏｏｔｈ（登録商標）と呼ばれる通信方式を採用し、まず所定の無線信号をアンテナ１３０を介してヘッドセットとの間で送受信することにより、ヘッドセットとの接続を確立する。
【００２０】
次いで、制御部１１０は、記憶部９０から送信対象のオーディオデータを読み出し、当該オーディオデータが著作権保護対象データ又は著作権保護非対象データのいずれであるかを判定する。
【００２１】
また、制御部１１０は、近距離無線部１２０の動作を制御し、ヘッドセットとの間で所定の無線信号を送受信することにより、ヘッドセットが著作権保護機能対応機器又は著作権保護機能非対応機器のいずれであるかの情報を取得する。
【００２２】
そして、制御部１１０は、オーディオデータが著作権保護対象データであって、かつヘッドセットが著作権保護機能対応機器であると判定した場合には、オーディオデータを近距離無線部１２０及びアンテナ１３０を順次介してヘッドセットに送信することにより、オーディオデータをヘッドセットから出力させる。
【００２３】
ところで、図２（ａ）に示すように、表示部１４０は、通常時には、Ｂｌｕｅｔｏｏｔｈ（登録商標）などの無線通信機能を示すマーク、例えば、青色の絵文字１６０が表示画面１５０の右上に表示する。
【００２４】
これに対して、制御部１１０は、オーディオデータが著作権保護対象データであって、かつヘッドセットが著作権保護機能非対応機器であると判定した場合には、オーディオデータを送信することなく、表示部１４０の表示画面１５０に表示されている絵文字１６０の色を黒色に変化させる（図２（ｂ））。
【００２５】
これにより、ユーザは、ヘッドセットから音楽が出力されない理由が、故障ではなく、ヘッドセットが著作権保護機能非対応機器によるものであることを知ることができる。
【００２６】
なお、制御部１１０は、オーディオデータが著作権保護非対象データであると判定した場合には、ヘッドセットが著作権保護機能対応機器又は著作権保護機能非対応機器のいずれであるかにかかわらず、オーディオデータをヘッドセットに送信して出力させ、また絵文字１６０の色については青色の状態を維持する。
【００２７】
ところで、上述したように、携帯電話２０は、オーディオデータが著作権保護対象データであって、かつヘッドセットが著作権保護機能非対応機器であると判定した場合には、オーディオデータをヘッドセットに送信しない。しかし、この場合でも、携帯電話２０は、ヘッドセットとの間で確立された接続を維持する。
【００２８】
従って、かかる場合には接続を切断する近距離無線通信システムのように、次に著作権保護非対象データを送信する際、再度接続を確立し直す必要がなく、その分、ユーザによる操作の手間を低減することができる。
【００２９】
また、かかる場合に、携帯電話２０とヘッドセットとの間で確立された接続を維持すれば、例えば携帯電話２０の着信時には、着信を通知するためのオーディオデータを携帯電話２０からヘッドセットに送信して出力することにより、ユーザに着信を知らせることができる。
【００３０】
因みに、携帯電話２０からヘッドセットに送信される著作権保護対象データには、ヘッドセットにおいて実行される著作権保護処理として、複数の処理種別（例えば処理種別１乃至３）のうち、いずれかの処理種別を必要とする場合がある。
【００３１】
この場合、制御部１１０は、オーディオデータが処理種別１の著作権保護処理を必要とする著作権保護対象データであって、かつヘッドセットが処理種別１の著作権保護処理を行わない機器であると判定した場合には、オーディオデータを送信することなく、表示部１４０の表示画面１５０に表示されている絵文字１６０の色を例えば黒色に変化させる。
【００３２】
同様にして、制御部１１０は、オーディオデータが処理種別２の著作権保護処理を必要とする著作権保護対象データであって、かつヘッドセットが処理種別２の著作権保護処理を行わない機器であると判定した場合には、オーディオデータを送信することなく、表示部１４０の表示画面１５０に表示されている絵文字１６０の色を例えば赤色に変化させる。
【００３３】
さらに、同様にして、制御部１１０は、オーディオデータが処理種別３の著作権保護処理を必要とする著作権保護対象データであって、かつヘッドセットが処理種別３の著作権保護処理を行わない機器であると判定した場合には、オーディオデータを送信することなく、表示部１４０の表示画面１５０に表示されている絵文字１６０の色を例えば黄色に変化させる。
【００３４】
このように、ヘッドセットから音楽が出力されない場合、携帯電話２０からヘッドセットに送信される著作権保護対象データが必要とする著作権保護処理の処理種別であって、かつヘッドセットが行わない著作権保護処理の処理種別を、ユーザに通知することができる。
【００３５】
ここで図３に、近距離無線通信システムにおける接続シーケンスを示す。まず、ユーザが、オーディオデータを聴取するための操作を行うと、携帯電話２０は、ヘッドセットに接続要求ＲＱ１０を送信する。続いて、携帯電話１０は、ヘッドセットから送信された接続応答ＲＰ１０を受信すると、ヘッドセットとの間で接続を確立する。
【００３６】
次いで、携帯電話２０は、送信対象のオーディオデータが著作権保護対象データ又は著作権保護非対象データのいずれであるかを判定する。
【００３７】
さらに、携帯電話２０は、ヘッドセットにおいて処理することが可能なオーディオデータの種類を示すＳＥＰ（ストリーム・エンド・ポイント）の数を取得するためのＳＥＰ数要求ＲＱ２０をヘッドセットに送信する。
【００３８】
携帯電話２０は、ヘッドセットから、ＳＥＰ数が例えば「２」であることを示すＳＥＰ数応答ＲＰ２０が送信され、これを受信すると、ヘッドセットの能力情報を取得するための能力情報要求ＲＱ３０をヘッドセットに送信する。その後、携帯電話２０は、能力情報応答ＲＰ３０を受信することにより、ヘッドセットの能力情報を取得する。なお、能力情報要求ＲＱ３０及び能力情報応答ＲＰ３０のやりとりは、ＳＥＰ数分だけ繰り返し行われる。
【００３９】
このようにして取得された能力情報の一例を図４に示す。また、著作権保護処理の処理種別として選定されたＳＣＭＳ（シリアル・コピー・マネジメントシステム）−Ｔの一例を図５に示す。
【００４０】
ステップＳＰ１０において、携帯電話２０は、オーディオデータ及びヘッドセットの組み合わせに応じて、オーディオデータをヘッドセットに送信することが可能か否かを判定する。
【００４１】
このステップＳＰ１０において肯定結果が得られると、このことはオーディオデータが著作権保護対象データであって、かつヘッドセットが著作権保護機能対応機器であると判定した場合、又はオーディオデータが著作権保護非対象データであると判定した場合を表しており、このとき携帯電話２０はステップＳＰ２０に移って、オーディオデータをヘッドセットに送信する。
【００４２】
これに対して、ステップＳＰ１０において否定結果が得られると、このことはオーディオデータが著作権保護対象データであって、かつヘッドセットが著作権保護機能非対応機器であると判定した場合を表しており、このとき携帯電話２０はステップＳＰ３０に移って、オーディオデータを送信することなく、表示部１４０の表示画面１５０に表示されている絵文字１６０の色を黒色に変化させる。
【００４３】
ところで、携帯電話２０は、オーディオデータをヘッドセットに送信する場合だけでなく、オーディオデータをヘッドセットに送信しない場合でも、ヘッドセットとの間で確立された接続を維持する。
【００４４】
なお、上述の実施の形態は一例であって、本発明を限定するものではない。ここで図６に、他の実施の形態による接続シーケンスを示す。因みに、図３に示された要素と同一のものには同一の符号を付して説明を省略する。
【００４５】
この場合、携帯電話２０は、能力情報応答ＲＰ３０を受信することにより、ヘッドセットの能力情報を取得すると、オーディオデータを送信するため、能力情報のうち所望のＳＥＰを指定してオーディオデータを送信する送信要求ＲＱ４０をヘッドセットに送信する。
【００４６】
ヘッドセットは、この送信要求ＲＱ４０を受信すると、指定されたＳＥＰにおける、著作権保護処理の処理種別及びオーディオ符号化方式と、送信対象のオーディオデータが必要とする著作権保護処理の処理種別及びオーディオ符号化方式とが合致するか否かを判定し、その判定結果を送信応答ＲＰ４０として携帯電話２０に送信する。
【００４７】
携帯電話２０は、この送信応答ＲＰ４０を受信すると、ステップＳＰ４０において、送信応答ＲＰ４０におけるエラーの有無を判定する。このステップＳＰ４０においてエラーが無いと判定されると、このことは、指定されたＳＥＰにおける、著作権保護処理の処理種別及びオーディオ符号化方式と、送信対象のオーディオデータが必要とする著作権保護処理の処理種別及びオーディオ符号化方式とが合致することを表しており、このとき携帯電話２０はステップＳＰ５０に移って、オーディオデータをヘッドセットに送信する。
【００４８】
これに対して、ステップＳＰ４０においてエラーが有ると判定されと、このことは、指定されたＳＥＰにおける、著作権保護処理の処理種別及びオーディオ符号化方式と、送信対象のオーディオデータが必要とする著作権保護処理の処理種別及びオーディオ符号化方式とが合致しないことを表しており、このとき携帯電話２０はステップＳＰ６０に移って、オーディオデータを送信することなく、表示部１４０の表示画面１５０に表示されている絵文字１６０の色を変化させる。
【００４９】
因みに、上述の実施の形態では、送信装置として携帯電話２０を用いたが、著作権保護機能対応送信装置であれば、他の種々の送信装置を適用することができる。
【００５０】
また、上述の実施の形態では、受信装置としてヘッドセットを用いたが、著作権保護機能対応受信装置又は著作権保護機能非対応受信装置のいずれかであれば、他の種々の受信装置を適用することができる。
【００５１】
また、上述の実施の形態では、データ判定部として制御部１１０を用いたが、送信対象のデータが著作権保護対象データ又は著作権保護非対象データのいずれであるかを判定する、他の種々のデータ判定部を適用することができる。
【００５２】
また、上述の実施の形態では、受信装置判定部として制御部１１０を用いたが、受信装置が著作権保護機能対応受信装置又は著作権保護機能非対応受信装置のいずれであるかを判定する、他の種々の受信装置判定部を適用することができる。
【００５３】
また、上述の実施の形態では、決定部として制御部１１０を用いたが、データ判定部及び受信装置判定部の各判定結果に基づいて、送信対象のデータを受信装置に送信するか否かを決定する、他の種々の決定部を適用することができる。
【００５４】
また、上述の実施の形態では、表示制御部として制御部１１０を用いたが、送信対象のデータを受信装置に送信しないと決定した場合には、表示部の表示状態を変化させる、他の種々の表示制御部を適用することができる。
【００５５】
また、上述の実施の形態では、接続維持部として制御部１１０を用いたが、送信対象のデータを受信装置に送信しないと決定された場合、受信装置との間で確立されている接続を維持する、他の種々の接続維持部を適用することができる。
【図面の簡単な説明】
【００５６】
【図１】本発明の実施の形態による携帯電話の構成を示すブロック図である。
【図２】表示画面の表示状態を示す説明図である。
【図３】近距離無線通信システムにおける接続シーケンスである。
【図４】ヘッドセットの能力情報の一例を示す説明図である。
【図５】著作権保護処理の処理種別として選定されたＳＣＭＳ−Ｔの一例を示す説明図である。
【図６】他の実施の形態による接続シーケンスである。
【符号の説明】
【００５７】
２０  携帯電話
１１０  制御部
１２０  近距離無線部
１４０  表示部
１５０  表示画面
１６０  絵文字
【図１】
2008186354.tif 000003
【図２】
2008186354.tif 000004
【図３】
2008186354.tif 000005
【図４】
2008186354.tif 000006
【図５】
2008186354.tif 000007
【図６】
2008186354.tif 000008